(57)【特許請求の範囲】
【請求項１】
コイン排出装置からのコインを排出するコイン排出口と、
前記コイン排出口から排出されたコインを収容可能な受皿と、
を備えた遊技機であって、
前記コイン排出口が形成され、且つ前記コイン排出口の位置を所定の範囲内で上下方向に可動する可動案内部材と、
前記コイン排出装置から排出されたコインを前記可動案内部材へ誘導するコイン誘導流路と、を備え、
前記受皿には、コインを収容するコイン収容箱を載置可能な載置部が形成され、
前記可動案内部材は、
前記コイン誘導流路の下方に設けられ、前記コイン誘導流路から流下するコインを受け入れるコイン受入口と、受け入れたコインを前記コイン排出口へ流下案内するコイン流路と、前記可動案内部材が回動する際に支点となる支点部と、を備え、該支点部を中心に回動することにより前記コイン排出口が上下方向に移動可能に構成され、
当該遊技機は、前面に開口部を形成し、
前記開口部を介して前記可動案内部材を当該遊技機の内部から前記受皿側へ突出させることにより、前記コイン流路は前記コイン排出装置と前記受皿との間を連通し、
前記コイン流路の一部であって前記コイン排出口の直前の部分は、前記受皿の奥側へ向けて屈曲し、
前記載置部に前記コイン収容箱を載置した場合には、前記可動案内部材は、前記コイン収容箱の縁部により押し上げられ、前記コイン排出口から排出されるコインを前記コイン収容箱に向かって真下方向に排出可能な第１状態となり、
前記載置部に前記コイン収容箱を載置しない場合には、前記可動案内部材は、前記第１状態よりもコイン排出口側が下降するように自重によって回動して前記開口部の下端部によって支持され、前記第１状態よりも前記コイン排出口の位置が低く、且つ、前記コイン排出口から排出されるコインを前記受皿の奥側に向けて排出可能な第２状態となり、
前記コイン受入口は、前記可動案内部材の上端が外側に向けて開口するように形成されるとともに、前記可動案内部材が所定の範囲内で回動しても前記コイン誘導流路から流下するコインを受け入れ可能となるように形成され、
前記可動案内部材の回動範囲は、前記開口部の下端部により回動範囲の下限が規制され、前記開口部の上端部により回動範囲の上限が規制されることを特徴とする遊技機。
【請求項２】
前記受皿は、
当該遊技機の前面下部に設けられるとともに、
当該遊技機の前面下部から手前側に突出する底板と、
当該受皿の手前側に配置されて、前記遊技機の前面に略平行に前記底板から起立する起立壁と、
当該受皿の左右側面側に配置されて、前記底板から略垂直に起立し、前記起立壁と前記遊技機の側面とを連結する側壁と、によって形成され、
前記起立壁には、前記コイン収容箱を支持する切欠部が形成され、
前記切欠部は、所定の高さで起立することによって前記受皿にコインの貯留を可能とし、
前記切欠部によって前記載置部が構成されることを特徴とする請求項１に記載の遊技機。
【請求項３】
前記載置部は、前記受皿に形成された段差部を備え、
前記コイン収容箱を、前記切欠部と前記段差部とに載置すると、前記可動案内部材が前記コイン収容箱に押し上げられて前記第１状態となることを特徴とする請求項２に記載の遊技機。
【発明の詳細な説明】
【技術分野】
【０００１】
本発明は遊技機に関し、特に、コインを貯留する受皿に対してコイン貯留箱を載置可能な遊技機に関する。
【背景技術】
【０００２】
遊技媒体としてコインを使用する遊技機では、遊技の実行に伴ってコインが大量に下皿へ排出された場合に、排出されたコインを下皿からコイン貯留箱へ移し変える必要が生じる。このような状況を想定して、従来、下皿からコイン貯留箱へのコインの移し替え作業を容易かつ安定して行うことができるコイン貯留箱がある。
【０００３】
例えば、コイン貯留箱の開口縁には引掛部が形成され、この引掛部をスロットマシン機の下皿の開口縁に引っ掛けることによりコイン貯留箱が下皿に固定され、引掛部を構成するフック部が下皿の開口縁上端部を覆うと共に、フック部の先端部端面及びリブの内側端面が開口縁内面と接触する状態となるコイン貯留箱が知られている。
【０００４】
この遊技機では、コイン貯留箱がスロットマシン機の下皿に固定されることによって、コイン貯留箱がその自重及びコインの重量により下皿の開口縁周りに回転することがない。このため、遊技者の下皿からコイン貯留箱へのコインの移し替え作業が容易かつ安定するようになる（例えば、特許文献１参照。）。
【０００５】
また、同様に、コイン貯留箱へのコイン移送を行いやすくするために、受皿に突条部を設けることなく収容箱を受皿に引っ掛けられるようにしたスロットマシンやアレンジボール機等の遊技機であって、メダル受皿の前側に横向きの溝部を備え、溝部の内壁が収容箱の縁を挟持（支持）することで縁が溝部に係合し、従来のような突条部を設けることなく収容箱をメダル受皿に引っ掛けることができる遊技機が知られている。この遊技機では、遊技者は手で収容箱を支えなくてもメダルの出し入れを行うことができる（例えば、特許文献２参照。）。
【０００６】
さらに、スロットマシンの遊技中に、獲得したメダルの貯留とメダル受皿への補給を容易にさせるメダル貯留箱として、スロットマシンの前面下部に形成したメダル受皿の外縁の側壁に係合する断面コ字状の凹状部を、メダルトレイの下面に形成し、メダルトレイの内部には凹状部を介してメダル受皿に収容される内側トレイ部と、メダル受皿の外側に配置される外側トレイ部とを形成したものが知られている。
【０００７】
このメダル貯留箱は、長手方向両側壁の内側にメダルトレイの取っ手を収納する凹部が形成され、メダル箱にメダルトレイを収納したときに全上面が面一になるように形成されているので、メダルを収容しないときはそのまま積み上げられるとともに、獲得したメダルはメダルトレイに一旦確保してから他に分配収容するので、一度に重いメダル箱を持つ必要もない（例えば、特許文献３参照。）。
【特許文献１】特開２００２−１７７４５６号公報
【特許文献２】特開２００５−１６０９１３号公報
【特許文献３】特開２００２−３６９９１０号公報
【発明の開示】
【発明が解決しようとする課題】
【０００８】
前述した特許文献１に記載された構成では、特許文献１の図３に示されるように、コイン貯留箱１０の引掛部２０に、スロットマシン機１６の開口縁１９を引っ掛けるため、コイン貯留箱１０に貯留されたコインの重量のほとんどが引掛部２０に集中して作用することになり、引掛部２０が破損する恐れがある。
【０００９】
また、遊技者が開口縁１９に引っ掛かっていない反対側の引掛部２０を上に押し上げた場合、てこの原理により開口縁１９に引っ掛けた引掛部２０に大きな力が加わって破損しやすい。
【００１０】
同様に、前述した特許文献２に記載された構成も、特許文献１と同じ理由から、スロットマシン１０の溝部２４にはめ込まれた収容箱３６の縁３６ａが破損しやすい（特許文献２の図３等参照。）。
【００１１】
また、前述した特許文献３に記載された構成では、メダルトレイ４がメダル箱５から分離できるので一見すると便利なようであるが、メダルトレイ４の凹状部７の位置を、スロットマシン１のメダル受皿２の形状（特に奥行き方向の幅）に対応させる必要が生じる。このため、メーカーによってメダル受皿２の形状が異なる現状では、メダルトレイ４に汎用性がなく、例えば、異なるメーカーの遊技機に入れ替える際は、同時にトレイも交換することになる等、不経済である。
【００１２】
このような課題を解決するためには、遊技機の受皿のサイズを拡大して受皿内にコイン貯留箱１０が載置できるように構成し、尚且つ、遊技機のコイン排出口を上方へ移設して、遊技機のコイン排出装置から排出されるコインを、排出口を介して受皿内に載置したコイン貯留箱１０に直接落下させることで解決できる。しかし、受皿のサイズが大きすぎては遊技機が設置しにくくなり、また、排出口の位置が高すぎると、コイン貯留箱１０を載置しない場合には、排出口から落下したコインが受皿の底面で跳ね返って遊技機の外に飛び出してしまう恐れがある。
【００１３】
そこで、本発明は、コインの移し替え作業の安定化を図るとともに、遊技機の受皿に載置可能なコイン収容箱のサイズに、ある程度の幅を持たせることによってコイン収容箱の汎用性を損なわず、さらに、受皿にコイン収容箱がない状態で遊技機から受皿へコインを排出してもコインが遊技場の床に放出されてしまう等の問題が生じない遊技機を提供することを目的とする。
【課題を解決するための手段】
【００１４】
第１の発明は、コイン排出装置からのコインを排出するコイン排出口と、前記コイン排出口から排出されたコインを収容可能な受皿と、を備えた遊技機であって、前記コイン排出口が形成され、且つ前記コイン排出口の位置を所定の範囲内で上下方向に可動する可動案内部材と、前記コイン排出装置から排出されたコインを前記可動案内部材へ誘導するコイン誘導流路と、を備え、前記受皿には、コインを収容するコイン収容箱を載置可能な載置部が形成され、前記可動案内部材は、前記コイン誘導流路の下方に設けられ、前記コイン誘導流路から流下するコインを受け入れるコイン受入口と、受け入れたコインを前記コイン排出口へ流下案内するコイン流路と、前記可動案内部材が回動する際に支点となる支点部と、を備え、該支点部を中心に回動することにより前記コイン排出口が上下方向に移動可能に構成され、当該遊技機は、前面に開口部を形成し、前記開口部を介して前記可動案内部材を当該遊技機の内部から前記受皿側へ突出させることにより、前記コイン流路は前記コイン排出装置と前記受皿との間を連通し、前記コイン流路の一部であって前記コイン排出口の直前の部分は、前記受皿の奥側へ向けて屈曲し、前記載置部に前記コイン収容箱を載置した場合には、前記可動案内部材は、前記コイン収容箱の縁部により押し上げられ、前記コイン排出口から排出されるコインを前記コイン収容箱に向かって真下方向に排出可能な第１状態となり、前記載置部に前記コイン収容箱を載置しない場合には、前記可動案内部材は、前記第１状態よりもコイン排出口側が下降するように自重によって回動して前記開口部の下端部によって支持され、前記第１状態よりも前記コイン排出口の位置が低く、且つ、前記コイン排出口から排出されるコインを前記受皿の奥側に向けて排出可能な第２状態となり、前記コイン受入口は、前記可動案内部材の上端が外側に向けて開口するように形成されるとともに、前記可動案内部材が所定の範囲内で回動しても前記コイン誘導流路から流下するコインを受け入れ可能となるように形成され、前記可動案内部材の回動範囲は、前記開口部の下端部により回動範囲の下限が規制され、前記開口部の上端部により回動範囲の上限が規制される。
【００１９】
第２の発明は、第１の発明において、前記受皿は、当該遊技機の前面下部に設けられるとともに、当該遊技機の前面下部から手前側に突出する底板と、当該受皿の手前側に配置されて、前記遊技機の前面に略平行に前記底板から起立する起立壁と、当該受皿の左右側面側に配置されて、前記底板から略垂直に起立し、前記起立壁と前記遊技機の側面とを連結する側壁と、によって形成され、前記起立壁には、前記コイン収容箱を支持する切欠部が形成され、前記切欠部は、所定の高さで起立することによって前記受皿にコインの貯留を可能とし、前記切欠部によって前記載置部が構成される。
【００２０】
第３の発明は、第２の発明において、前記載置部は、前記受皿に形成された段差部を備え、前記コイン収容箱を、前記切欠部と前記段差部とに載置すると、前記可動案内部材が前記コイン収容箱に押し上げられて前記第１状態となる。
【発明の効果】
【００２２】
第１の発明によれば、コイン排出装置からのコインを排出するコイン排出口と、前記コイン排出口から排出されたコインを収容可能な受皿と、を備えた遊技機であって、前記コイン排出口が形成され、且つ、前記コイン排出口の位置を上下方向に可動する可動案内部材を備え、前記受皿には、コインを収容するコイン収容箱を載置可能な載置部が形成され、前記可動案内部材は、前記載置部に前記コイン収容箱を載置した場合には、前記コイン排出口から排出されるコインを前記コイン収容箱に落下可能な第１状態となり、前記載置部に前記コイン収容箱を載置しない場合には、前記第１状態よりも前記コイン排出口の位置が低く、且つ、前記コイン排出口から排出されるコインを前記受皿に落下可能な第２状態となるので、コイン収容箱を載置部に載置しない場合には、コイン排出口の位置が低くなって、コイン排出口と受皿の底面までの距離が近くなるので、コイン排出口から受皿に落下するコインの速度を抑制して、受皿からコインが飛び出すのを防止することができる。
【００２３】
さらに、コイン収容箱を載置部に載置している場合には、コイン収容箱に収容されているコインの量が多くなってきたときにも、コイン排出口の高さが低い場合に比較してコイン排出口がコイン収容箱中のコインに埋もれてしまうことがないため、コインをより多く収容できる。さらに、コイン収容箱を受皿から取り外す際にもコイン排出口が妨げとならない。
【００２４】
さらに、前記可動案内部材は、前記コイン排出装置からのコインを前記コイン排出口へ流下案内するコイン流路と、前記可動案内部材が可動する際に支点となる支点部と、を備え、前記コイン排出口が上下に移動するように、前記支点部を中心として可動案内部材が回動するので、簡易な構成で可動案内部材を構成できる。
【００２５】
さらに、前記可動案内部材は、前記コイン流路の一部であって前記コイン排出口の直前の部分が、前記受皿の奥側へ向けて屈曲しているので、コイン排出口からのコインが受皿の奥へ向けて落下するため、受皿の手前側に飛び出しにくい。
【００２８】
第２の発明によれば、前記受皿は、当該遊技機の前面下部に設けられるとともに、当該遊技機の前面下部から手前側に突出する底板と、当該受皿の手前側に配置されて、前記遊技機の前面に略平行に前記底板から起立する起立壁と、当該受皿の左右側面側に配置されて、前記底板から略垂直に起立し、前記起立壁と前記遊技機の側面とを連結する側壁と、によって形成され、前記起立壁には、前記コイン収容箱を支持する切欠部が形成され、前記切欠部は、所定の高さで起立することによって前記受皿にコインの貯留を可能とし、前記切欠部によって前記載置部が構成されるので、切欠部によって、コイン収容箱を載置部に安定して載置できる。さらに、受皿にコイン貯留部が形成されるので、コイン収容箱が受皿から取外されている際にコインが排出されても、コイン貯留部に貯留されるのでコインが遊技場の床に向けて排出されることがない。
【００２９】
第３の発明によれば、前記載置部は、前記受皿に形成された段差部を備え、前記コイン収容箱を、前記切欠部と前記段差部とに載置すると、前記可動案内部材が前記コイン収容箱に押し上げられて前記第１状態となるので、段差部及び切欠部によってコイン収容箱をより安定して載置できる。さらに、コイン収容箱を受皿に載置している場合には、コイン収容箱に収容されているコインの量が多くなってきたときにも、コイン排出口の高さが低い場合に比較してコイン排出口がコイン収容箱中のコインに埋もれてしまうことがないため、コインをより多く収容できる。さらに、コイン収容箱を受皿から取り外す際にもコイン排出口が妨げとならない。
【発明を実施するための最良の形態】
【００３１】
以下、本発明の実施の形態について説明する。
【００３２】
図１は、本発明の実施の形態の遊技機（パチスロ機）１の構成を示す斜視図である。図２は、本発明の実施の形態の遊技機１の前面パネル３を開いた状態を示す斜視図であ
る。
【００３３】
遊技機１は、筐体２及び前面パネル３から構成される。遊技機１は、内部の左側に蝶番３３を２個有しており、筐体２に対してこの蝶番３３を軸として片開き形式に開閉自在な前面パネル３が取り付けられている。
【００３４】
前面パネル３は、前面パネル３の上半分を占める上部フレーム３１及び下半分を占める下部フレーム３２から構成される。
【００３５】
上部フレーム３１は、前面に半透明の樹脂板であるパネル部材２８を備えている。パネル部材２８の背後には、図２に示すように、補助表示装置６が設けられている。補助表示装置６では、補助ゲームが実行され、また、変動表示ゲームに関連する演出表示や情報表示が行われる。補助表示装置６の表示は、遊技機１の前面からパネル部材２８を透して視認可能である。
【００３６】
パネル部材２８の上方の左右には、音出力装置７としてのスピーカが設けられる。スピーカは、効果音を出力して遊技の興趣を向上させる。
【００３７】
下部フレーム３２の背面側には、変動表示装置（可変表示装置）を構成する変動表示手段としての３個のリール（第１リール４ａ、第２リール４ｂ及び第３リール４ｃ）が、回転自在に並んで配置される。
【００３８】
図２に示すように、筺体２内の上下略中央に左右方向に架設した支持材１２６上には、前面が開口したユニットケース１２７が取り付けられている。ユニットケース１２７の内部には、ステッピングモータの駆動により回転するリール４ａ〜４ｃが立てられた状態で３個横に並べて設けられており、各リール４ａ〜４ｃが前面パネル３に開口する表示窓部５に臨むように配置される。
【００３９】
各リール４ａ〜４ｃの外周面には、複数種類のシンボル（図柄）からなる図柄列が表わされている。リール４ａ〜４ｃはリール駆動部によって駆動され、互いに独立に回転する。また、各リール４ａ〜４ｃの内部には、図柄を裏側から照らす図示しないバックライトが設けられている。
【００４０】
リール駆動部は、例えば、ステッピングモータ（図示省略）で構成される。そして、遊技機１は、リール４ａ〜４ｃの回転によって変動表示ゲームを実行し、変動表示の停止結果が後述する有効ライン上において所定の表示態様（所定の図柄組合せ態様）となることによって、遊技者に所定の遊技価値を付与する。
【００４１】
下部フレーム３２の略中央には、リール４ａ〜４ｃの回転によって変動表示（可変表示）する図柄を遊技者に視認させるための表示窓部５が設けられている。リール４ａ〜４ｃが停止すると、表示窓部５からリール４ａ〜４ｃの外周面に表記された図柄列のうちそれぞれ３個の図柄が視認可能となる。すなわち、リール４ａ〜４ｃが停止した状態で、表示窓部５から合計９個の図柄を視認することができる。
【００４２】
なお、本実施の形態では、変動表示装置として機械的に駆動されるドラム式（リール式）のものを用いているが、これに限らず、例えば、液晶表示装置等の画像表示装置を用いて図柄を表示してもよい。
【００４３】
表示窓部５の下方には、払出枚数表示部８、遊技進行表示部９及びクレジット数表示部１０が設けられている。払出枚数表示部８、遊技進行表示部９及びクレジット数表示部１０は、セグメントＬＥＤ又は液晶ディスプレイによって構成される。
【００４４】
払出枚数表示部８は、入賞が確定することによって得られるコインの払出枚数又は貸出ボタン１３の操作によって遊技者へ貸し出されるコインの払出枚数を表示する。また、払出表示部８は、遊技機１の動作に異常（例えば、遊技機１とカードユニット（図示省略）との接続異常、コイン詰まり）が発生した場合に、予め設定したエラーコードを表示する。
【００４５】
遊技進行表示部９は、アシスト（ＡＴ）状態（小役等の入賞フラグの状態、リール４ａ〜４ｃの特定の停止順等が遊技者に報知される遊技状態）中、ＢＢ状態中又はＲＢ状態中の残りゲーム回数を表示する。クレジット数表示部１０は、コインのクレジット数を表示する。
【００４６】
また、表示窓部５近傍には、図示しない遊技状態表示部が設けられている。遊技状態表示部は、遊技機１が遊技可能な状態であることを示し、リプレイ入賞の獲得及び現在実行中の遊技がリプレイ入賞後のリプレイゲームであることを示す「ＲＥＰＬＡＹ」表示、遊技者がコインを投入してスタートレバー２２を操作してからリール４ａ〜４ｃの回転が開始するまで待ち時間があることを示す「ＷＡＩＴ」表示、コインの投入を促す「ＩＮＳＥＲＴ  ＭＥＤＡＬＳ」表示によって構成される。
【００４７】
また、表示窓部５近傍には、図示しないベットライン表示部が設けられている。ベットライン表示部は、コインの賭数（ベット数）に対応して有効化されたベットライン（有効ライン）を表示する。
【００４８】
コインの賭数とは、遊技者が遊技のために投入したコインの数、又は、予め遊技者が投入したコインの記憶数（クレジット数）から減算されて遊技に使用されるコインの数である。また、遊技を開始するために遊技者がコインを投入したり、記憶数から減算したりする操作をベットという。なお、遊技媒体として、本実施の形態ではコインを用いているが、遊技球を用いてもよい。
【００４９】
表示窓部５の左下方には、７セグメントＬＥＤ又は液晶ディスプレイよりなる残高表示部１２が設けられている。残高表示部１２は、カードユニットに挿入されたプリペイドカードが保有する度数（例えば、１００円で１度数）を表示する。なお、プリペイドカードとは、所定の金額（例えば、１０００円、２０００円、３０００円、５０００円）に相当する価値を有するカードである。
【００５０】
遊技機１の一側方には、遊技媒体貸出装置としてのカードユニットが遊技機１に隣接して設けられる。残高表示部１２の下方には、遊技機１からカードユニットへコインの貸出を要求する貸出ボタン１３及び残度数を有するプリペイドカードを後述するカード挿入口２７から排出させるための返却ボタン１４が設けられている。
【００５１】
貸出ボタン１３を１回押圧操作することによって、残高表示部１２の５度数が２５枚（５００円分）のコインに変換されて貸し出される。なお、貸し出されたコインはコイン排出口４３１から排出してもよいし、実際に下皿２６に排出することなくクレジット数表示部１０に表示されたクレジット数に貸し出されたコイン数（２５枚）を加算してもよい。
【００５２】
このとき同時に残高表示部１２には引き落とされた後の度数が表示される。なお、クレジット数は所定の値（例えば、５０）を限度として記憶される。よって、クレジット数がこの限度値に達すると、余剰のコインはコイン排出口４３１から排出される。
【００５３】
表示窓部５の下方に設けられた傾斜台部１５には、右方にコインを投入するコイン投入口１６が設けられている。このコイン投入口１６にコインを投入すると、投入したコイン数がクレジット数表示部１０のクレジット数に加算される。
【００５４】
なお、クレジット数が前述した限度値に達している場合は、投入されたコインはクレジット数に加算されることなくコイン排出口４３１から排出される。また、コイン投入口１６へのコイン投入時に、賭数が最大ベット可能枚数（例えば、３枚）以下である場合は、投入したコイン数はクレジット数に加算されることなく、賭数として加算される。
【００５５】
傾斜台部１５には、押圧操作によってクレジットしたコインを１枚ずつベット可能な１ベットボタン１７及び１回の押圧操作によって最大ベット可能枚数のコインをベットするマックスベットボタン１８が設けられている。マックスベットボタン１８を操作すると、例えば、コインがベットされていない場合は３枚のコインがベットされ、コインが１枚ベットされている場合は、さらに２枚のコインがベットされる。
【００５６】
これらのベットボタン１７又は１８を用いることにより、コイン投入口１６からコインを投入することなく、クレジット数表示部１０に表示されているクレジット数以内でコインをベットすることができ、賭数に応じて有効ラインが設定される。
【００５７】
下部フレーム３２には、略直方体形状の前面カバー体２０が設けられている。前面カバー体２０の左上方には、コインをクレジットとして記憶可能なクレジット状態とコインをクレジットとして記憶不能な非クレジット状態とのいずれか一方の状態を選択的に切換可能なクレジット選択ボタン２１が設けられている。
【００５８】
クレジット選択ボタン２１によってクレジット状態から非クレジット状態に切り替えられると、クレジット数表示部１０に表示されたクレジット数に相当する数のコインがコイン排出口４３１から排出され、クレジット数はクリアされて０になる。
【００５９】
クレジット選択ボタン２１の右側には、リール４ａ〜４ｃの回転を一斉に開始させるためのスタートレバー２２が設けられている。スタートレバー２２の右側には、リール４ａ〜４ｃの回転を停止させ、停止図柄を導出させるためのリール停止ボタン２３ａ〜２３ｃ（第１リール停止ボタン２３ａ、第２リール停止ボタン２３ｂ、第３リール停止ボタン２３ｃ）が設けられている。
【００６０】
リール停止ボタン２３ａ〜２３ｃが操作されると、各ボタンに対応したリール４ａ〜４ｃがそれぞれ回転を停止する。なお、賭数が０の場合は、変動表示ゲームの開始条件を満たさないため、スタートレバー２２を操作してもリール４ａ〜４ｃは回転しない。
【００６１】
各リール停止ボタン２３ａ〜２３ｃには、点灯によって各リール停止ボタン２３ａ〜２３ｃが操作可能な状態であることを報知する操作情報ランプが内蔵されている。これらの操作情報ランプが点灯していない間はリール停止ボタン２３ａ〜２３ｃが操作不能となり、操作情報ランプが点灯している間はリール停止ボタン２３ａ〜２３ｃが操作可能となるように制御される。
【００６２】
つまり、操作情報ランプが点灯していない間はリール停止ボタン２３ａ〜２３ｃを操作してもリール４ａ〜４ｃの回転は停止しない。なお、操作情報ランプの点灯色によって、リール停止ボタン２３ａ〜２３ｃが操作可能であるかを報知してもよい。
【００６３】
第３リール停止ボタン２３ｃの右側には、コイン返却ボタン２４が設けられている。コイン詰まり時には、遊技者によるコイン返却ボタン２４の操作によって、遊技機１の内部の流下路に詰まったコインが、前面カバー体２０の背後に設けられたコイン返却口（図示省略）を介して下皿２６に向けて落下して返却される。
【００６４】
表示窓部５の左右にはそれぞれ、装飾用ランプ、ＬＥＤ等からなる装飾表示部２５が設けられている。装飾表示部２５は、ＢＢ状態又はＲＢ状態の発生時に点灯することによって、遊技の興趣を向上させる。
【００６５】
下部フレーム３２の右側には、前面パネル３を筐体２に固定して施錠するシリンダ錠４１が取り付けられている。また、下部フレーム３２の前面には、前面カバー体２０が取り付けられている。前面カバー体２０は、透光性の樹脂板であり、その裏面には、例えば、装飾発光体としての蛍光管が設けられている。
【００６６】
また、前面カバー体２０の背後には、下部フレーム３２に開けられた開口である開口部６８が設けられている（図３参照）。この開口部６８から、後述する可動案内部材４３が突出している。
【００６７】
さらに、下部フレーム３２の前面側下部には、前面パネル３の背面側にあるコイン排出口４３１より払い出されたコインを貯留可能な受皿として例示する下皿２６が設けられている。
【００６８】
詳しくは図３及び図４において説明するが、下皿２６の前面側には起立壁２６２が設けられ、下皿２６の奥側には段差部２６５ａ、２６５ｂが設けられている。また、起立壁２６２には、切欠部２６３が設けられている。下皿２６には、切欠部２６３及び段差部２６５ａ、２６５ｂによって、コイン収容箱４６を載置することができる。下皿２６へのコイン収容箱４６の載置は、詳しくは図４において説明する。
【００６９】
また、下部フレーム３２の背後には、筐体２内の下部に配設されたホッパー装置７１が設けられている。ここで、コイン排出装置として例示するホッパー装置７１について説明する。
【００７０】
ホッパー装置７１の上部には、左右方向に張り出すとともに、上方へ拡幅するように開口されたホッパー部７２が配置される。
【００７１】
また、前面パネル３の中部の遊技機１の前面から見て左側には、遊技者によりコイン投入口１６に投入された投入コインが変形等をした不適切なコインであるか、変形等のない適切なコインであるのかを判別するコイン判別装置８１が設けられている。
【００７２】
コイン判別装置８１の下部には、コイン返却ボタン２４の操作により開放される開閉口８２及び適切であると判別されたコインをホッパー装置７１のホッパー部７２に案内する案内片８３が設けられている。
【００７３】
開閉口８２は、コイン判別装置８１によって投入コインが不適切であると判別された場合、又は投入コインが適切であっても、コイン返却ボタン２４が操作された場合に開口する。また、開閉口８２は、コイン投入を受け付けない遊技状態（例えば、ゲーム中など）やクレジット数が上限数であってかつＭＡＸベットされた状態である場合にも開口する。
【００７４】
開閉口８２の下部には、コイン判別装置８１によって不適切と判別されたコイン等を前面カバー体２０の内側に設けられたコイン返却口（図示省略）へ案内して排出する案内部材（図示省略）が設けられている。
【００７５】
コイン返却口は、前面カバー体２０の内側であって、下皿２６の上方に設けられている。開閉口８２が開口している場合には、投入コインは案内部材によってコイン返却口へ案内され、コイン返却口の直下の下皿２６に向けて落下して返却される。
【００７６】
また、ホッパー装置７１の下部には、コイン判別装置８１によって判別された適切なコインや、補給コインを受け入れて貯留し、クレジット数や賞態様の価値に応じて所定枚数のコインを払い出す払出機構７４が設けられている。払出機構７４の前面には、コインが払いだされるコイン払出口７５が開口されている。
【００７７】
また、下部フレーム３２の裏面の下部には、カバー部材６０が設けられている。カバー部材６０の背面には、前面パネル３の閉止時には払出機構７４のコイン払出口７５と連通可能な位置にコイン受入口６１が設けられている。また、カバー部材６０の内部には、ホッパー装置７１から払い出されるコインを下皿２６に排出するコイン排出口４３１を備える可動案内部材４３が設けられている。
【００７８】
なお、コイン判別装置８１によって不適切と判別されたコイン等を返却する場合、コイン受入口６１から又はカバー部材６０のその他の箇所を開口させ、その開口部からカバー部材６０の内部にコインを入れてカバー部材６０内部の可動案内部材４３に流入させ、排出機構７４から排出されるコインと同様に、可動案内部材４３の備えるコイン排出口４３１から排出して返却してもよい。
【００７９】
以上のように、投入コインは開閉口８２が閉口している場合は、案内片８３によってホッパー装置７１のホッパー部７２に案内され、払出機構７４に受け入れられて貯留される。払出機構７４に貯留されたコインは、払出機構７４から所定の場合にコイン払出口７５を介して、後述するように可動案内部材４３を経て排出口４３１から下皿２６に向けて払い出される。
【００８０】
次に、ホッパー装置７１から払い出されたコインが、可動案内部材４３を介して下皿２６に向かって流下する様子を説明する。
【００８１】
図３は、本発明の実施の形態のコイン収容箱４６が載置されていない状態の載置部２６１及び可動案内部材４３の構成を示す断面図である。
【００８２】
本実施の形態の遊技機１は、前述したように、下部フレーム３２の前面（図３の左側）に前面カバー体２０を備えている。また、下部フレーム３２の背面（図３の右側）にカバー部材６０を備えている。また、下部フレーム３２の前面下部には下皿２６が設けられている。
【００８３】
そして、カバー部材６０の内部には、可動案内部材４３が配置され、下部フレーム３２に開口された開口部６８を介して下部フレーム３２の前面側の下皿２６に向けて突出している。
【００８４】
カバー部材６０は、前面パネル３の閉止時に、筐体２側のホッパー装置７１の払出機構７４が備えるコイン払出口７５と可動案内部材４３とを連通するコイン誘導流路６３を備える。
【００８５】
コイン誘導流路６３には、払出機構７４のコイン払出口７５に連通するコイン受入口６１が設けられ、コイン受入口６１は図２に示すように遊技機１の前面から見て左に略４５度傾斜している。
【００８６】
さらに、コイン誘導流路６３には、後述する可動部材４３のコイン受入口４３７に連通するコイン排出口６４が設けられている。コイン受入口６１から受け入れられたコインは、コイン誘導流路６３の内部に傾斜を設けて形成したコイン誘導斜面６５を流下し、コイン排出口６４から可動案内部材４３のコイン受入口４３７へと連通させる構成となっている。
【００８７】
可動案内部材４３は、コイン排出口４３１、曲折部４３２、傾斜部４３３、支点部４３４、重心部４３５、コイン流路４３６及びコイン受入口４３７を備える。
【００８８】
可動案内部材４３は、支点部４３４によって軸止されており、支点部４３４を中心として上下方向に回動可能である。支点部４３４は、可動案内部材４３の重心である重心部４３５よりも遊技機１の奥側に配置されているので、可動案内部材４３は、自重によってコイン排出口４３１側が下降している。コイン収容箱４６が載置されていない状態では、可動案内部材４３は、開口部６８の下端部６８ａによって支持される。
【００８９】
なお、このときのコイン排出口４３１の下皿２６に対する相対的な高さは、図４において後述するコイン収容箱４６が載置されている場合に比較して低い。
【００９０】
また、コイン排出口４３１の下皿２６に対する相対的な高さが低いことから、相対的な高さが高い場合に比較して、コインの落下方向をより長く規制することができ、コイン排出口４３１から排出されるコインを下皿２６に落下させるのに好適である。
【００９１】
なお、可動案内部材４３のコイン流路４３６の断面の形状は、遊技機１の前面から見た垂直方向の幅がコインの厚みよりやや広く、水平方向の幅がコインの直径よりやや長い縦長の形状に構成され、コイン流路４３６の底面が遊技機１の前面へ向かって下り傾斜しているので、コイン流路４３６内部を１枚のコインが立ったまま流下する形状となっている。
【００９２】
すなわち、コイン流路４３６は、コインが立ったまま流下可能であるように、断面の左右幅がコインの厚みに比較して略同一であってやや広く、かつ、断面の上下幅がコインの直径に比較して略同一であってやや大きく、断面の大きさに余裕を持たせて形成されている。
【００９３】
コイン受入口４３７は、軸支される可動案内部材４３が所定の範囲内で回動しても、コイン誘導流路６３のコイン排出口６４から流下するコインを受け入れ可能となるように、開口に所定の余裕を持たせて形成されている。
【００９４】
可動案内部材４３は、曲折部４３２において下皿２６の奥側に向かって曲折している。このため傾斜部４３３は、下皿２６の奥側に向かって傾斜している。
【００９５】
ここで、曲折部４３２の曲折している角度は、コイン収容箱４６が載置されていない場合のコイン流路４３６の水平方向から下降している角度との和が９０度以上となるように設定する。
【００９６】
例えば、コイン収容箱４６が載置されていない場合のコイン流路４３６の水平方向から下降している角度を４５度とした場合、曲折部４３２の曲折する角度を例えば７０度と設定する。
【００９７】
これによって、コイン流路４３６を水平方向から４５度の角度で流下するコインが、曲折部４３２によってさらに７０度曲折し、水平方向から１１５度の角度で（すなわち、垂直方向から２５度遊技機１の奥側に向けて）傾斜部４３３を流下して、コイン排出口４３１から排出される。
【００９８】
このように、コイン収容箱４６が載置されていない場合には、コイン排出口４３１は、遊技機１の奥側に向けてコインを排出する。
【００９９】
下皿２６は、起立壁２６２、段差部２６５ａ、２６５ｂ、側壁２６６及び底面部２６７によって形成されている。
【０１００】
底板として例示する底面部２６７は、下部フレーム３２の下部から手前側に突出している。
【０１０１】
起立壁２６２は、手前側に遊技機１の前面に略平行に底面部２６７から起立している。側壁２６６は、左右側面側に、底面部２６７から略垂直に起立し、起立壁２６２と遊技機１の側面とを連結している。
【０１０２】
下皿２６の前面側には、起立壁２６２及び側壁２６６によって囲まれる領域に、コイン排出口４３１から排出されるコインを貯留するコイン貯留部２６４が形成される。また、起立壁２６２には、コイン排出口４３１と対向する位置にコイン収容箱４６を載置するための切欠部２６３が設けられる。
【０１０３】
段差部２６５ａ、２６５ｂは、下皿２６の奥側であって下部フレーム３２の前面側に設けられる。段差部２６５ａ、２６５ｂは、切欠部２６３とともに、コイン収容箱４６を載置する載置部２６１を構成する。下皿２６が備える載置部２６１によるコイン収容箱４６の載置は、詳しくは図４において後述する。
【０１０４】
ここで、払出コインがホッパー装置７１から払い出されて下皿２６に排出されるまでの動作について説明する。
【０１０５】
コイン払出口７５を介して、コイン誘導流路６３のコイン受入口６１によって受け入れられたコインは、コイン誘導斜面６５を経てコイン排出口６４から可動案内部材４３のコイン流入口４３７に流入する。コイン受入口６１による受入時には、遊技機１の正面から見て左側に４５度傾斜しているコインがコイン誘導斜面６５を流下し、コイン排出口６４からコイン流入口４３７に流入する際に、略垂直に起立する。
【０１０６】
コイン流入口４３７に流入したコインは、コイン流路４３６を略垂直に立ったまま流下する。そして、コイン流路４３６を流下したコインは、曲折部４３２の曲折によって奥側に向けてコイン排出口４３１から排出されて落下する。
【０１０７】
そして、遊技機１の奥側に向けて落下したコインは、コイン収容箱４６が載置されていない場合、下部フレーム３２、下皿２６の前面側に形成された起立壁２６２及び下皿２６の左右壁である側壁２６６によって形成されるコイン貯留部２６４に貯留される。
【０１０８】
なお、本実施の形態では、コイン収容箱４６が載置されていない状態では、開口部６８の下部が可動案内部材４３を支持しているが、これに限らず、例えば、下皿２６が備える段差部２６５ａ、２６５ｂ又はその他の部材が支持してもよい。
【０１０９】
図４は、本発明の実施の形態のコイン収容箱４６が載置されている状態の載置部２６１及び可動案内部材４３の構成を示す断面図である。
【０１１０】
本実施の形態の下皿２６には、前述したように、遊技機１の前面側（図４の左側）に設けられた起立壁２６２に切欠部２６３が形成されている。
【０１１１】
下皿２６には、図１に示すように、下皿２６の奥側であって下部フレーム３２の前面側に、コイン収容箱４６を載置するための段差部２６５ａ、２６５ｂが２個設けられている。段差部２６５ａ、２６５ｂの間には、可動案内部材４３のコイン排出口４３１が上下に移動可能に設けられている。
【０１１２】
段差部２６５ａ、２６５ｂは、左側の段差部２６５ａの左端から右側の段差部２６５ｂの右端までの幅がコイン収容箱４３の幅と略同一かそれ以下に構成されている。段差部２６５ａ、２６５ｂには、コイン収容箱４６の縁部４６ａを載せることができる。
【０１１３】
載置部２６１は、切欠部２６３及び段差部２６５ａ、２６５ｂによって構成されており、この載置部２６１にコイン収容箱４６が安定的に保持される。なお、段差部２６５ａ、２６５ｂは、本実施の形態では下部フレーム３２に２個設けたが、これに限らず１個又は３個以上設けてもよい。また、段差部２６５ａ、２６５ｂは、側壁２６６に設けてもよい。
【０１１４】
具体的には、下皿２６の段差部２６５ａ、２６５ｂの上面にコイン収容箱４６の縁部４６aを載せるとともに、コイン収容箱４６の底面４６ｂを下皿２６の切欠部２６３に載せて支持することによって、コイン収容箱４６は、下皿２６の載置部２６１に安定的に載置される。
【０１１５】
また、下皿２６の載置部２６１にコイン収容箱４６を載置する際には、コイン収容箱４６の奥側の縁部４６ａが可動案内部材４３を押し上げる。
【０１１６】
これによって、コイン収容箱４６に収容されているコインの量が多くなってきた場合にも、コイン排出口４３１の高さが低い場合に比較してコイン排出口４３１がコイン収容箱４６中のコインに埋もれてしまうことがないため、コインをより多く収容できる。さらに、コイン収容箱４６を下皿２６から取り外す際にもコイン排出口４３１が妨げとならない。
【０１１７】
また、コイン収容箱４６が載置されている場合、コイン排出部４３１は、曲折部４３２の曲折によって下方に向けられている。これによって、可動案内部材４３のコイン流路４３６を流下するコインは、コイン排出口４３１からコイン収容箱４６に向けて下方に排出される。
【０１１８】
ここで、切欠部２６３及び段差部２６５ａ、２６５ｂの高さを調節して、可動案内部材４３を支持するコイン収容箱４６の縁部４６ａの位置を調節することができる。これによって、載置部２６１にコイン収容箱４６が載置されている場合のコイン流路４３６の角度を、曲折部４３２の曲折している角度との和が９０度となるように設定することによって、コイン排出口４３１から排出されるコインを真下方向に排出させることができる。
【０１１９】
そして、コイン排出口４３１から排出されたコインは、起立壁２６２に形成された切欠部２６３及び段差部２６５ａ、２６５ｂによって下皿２６の備える載置部２６１に安定的に載置されているコイン収容箱４６の上に流下し、コイン収容箱４６に貯留される。
【０１２０】
なお、本実施の形態では、可動案内部材４３は、支点部４３４によって軸支されて、支点部４３４を中心として上下方向に回動することによってコイン排出口４３１の高さを変換しているが、これに限らず、例えば可動案内部材４３の一部若しくは全部を、蛇腹構造又は一方は他方の内径より小さな外径をもつ管状構造の部材を一方は他方の内側に滑動自在に含むようにして伸縮可能な構成にしてもよい。
【０１２１】
このように、本発明の実施の形態によれば、コイン収容箱４６を下皿２６に載置しない場合には、可動案内部材４３が下がった状態（第２状態）となることで、コイン排出口４３１の位置が低くなり、コイン排出口４３１と下皿２６の底面までの距離が近くなるので、コイン排出口４３１から下皿２６に落下するコインの速度を抑制して、下皿２６からコインが飛び出すのを防止することができる。
【０１２２】
また、コイン排出口４３１の下皿２６に対する相対的な高さが低いことから、相対的な高さが高い場合に比較して、コインの落下方向をより長く規制することができるため、同様に下皿２６からコインが飛び出すのを防止することができる。
【０１２３】
さらに、コイン収容箱４６を下皿２６に載置している場合には、可動案内部材４３が上がった状態（第１状態）となることで、コイン排出口４３１の位置が高くなる。
【０１２４】
これによって、コイン収容箱４６に収容されているコインの量が多くなってきた場合にも、コイン排出口４３１の高さが低い場合に比較して、コイン排出口４３１がコイン収容箱４６中のコインに埋もれてしまうことがないため、コインをより多く収容できるとともに、コイン排出口４３１周辺でコイン詰りを生じ難い。さらに、コイン収容箱４６を下皿２６から取り外す際にもコイン排出口４３１が妨げとならない。
【０１２５】
また、可動案内部材４３は、ホッパー装置７１の払出機構７４からのコインをコイン排出口４３１へ流下案内するコイン流路４３６と、可動案内部材４３が可動する際に支点となる支点部４３４と、を備え、コイン排出口４３１が支点部４３４を中心として上下に移動するように可動案内部材４３が回動するので、簡易な構成で可動案内部材４３を構成できる。
【０１２６】
また、可動案内部材４３は、コイン流路４３６の一部であってコイン排出口４３１の直前に傾斜部４３３が形成され、曲折部４３２で下皿２６の奥側へ向けて屈曲しているので、コイン排出口４３１からのコインが下皿２６の奥へ向けて落下するため、下皿２６の手前側に飛び出しにくい。
【０１２７】
また、コインが縦に立った状態で流下することによって、コイン流路４３６の横幅を狭くできる。加えて、コインを立った状態で転がして流下させることによって、コインを横に寝かせ滑らせて流下させる場合に比較して、コイン流路４３６の傾斜が緩くてもコインを流下させることができるので、上下方向に幅を取らない可動案内部材４３が実現できる。
【０１２８】
特に、排出するコインを遊技機１の奥側から前面側にかけて大きく移動させる設計とした場合に、傾斜が緩やかで足りるため上下方向の幅を節約でき有効である。
【０１２９】
また、載置部２６１にコイン収容箱４６を載置しない場合には、自重によって可動案内部材４３がコイン排出口４３１の位置が低い第２状態となるため、簡易な構成で可動案内部材４３を実現できる。
【０１３０】
また、下皿２６は、遊技機１の前面側に形成された起立壁２６２と、遊技機１の左右側面側に形成された側壁２６６と、を備えるとともに、起立壁２６２及び側壁２６６によってコインを貯留するコイン貯留部２６４が形成され、起立壁２６２には、載置部２６１を構成しコイン収容箱４６を支持する切欠部２６３が形成されるので、切欠部２６３によって、コイン収容箱４６を載置部２６１に安定して載置できる。
【０１３１】
さらに、下皿２６にコイン貯留部２６４が形成されるので、コイン収容箱４６が下皿２６から取外されている際にコインが排出されても、コイン貯留部２６４に貯留されるのでコインが遊技場の床に向けて排出されることがない。
【０１３２】
また、載置部２６１は、下皿２６に形成された段差部２６５ａ、２６５ｂを備え、コイン収容箱４６を、切欠部２６３と段差部２６５ａ、２６５ｂとに載置することができるので、段差部２６５ａ、２６５ｂ及び切欠部２６３によってコイン収容箱４６をより安定して載置できる。
【０１３３】
また、コイン収容箱４６を載置部２６１に載置する際にはコイン収容箱４６が可動案内部材４３を押し上げることによって可動案内部材４３が載置の妨げとならない。
【０１３４】
また、可動案内部材４３のコイン流路４３６によってホッパー装置７１の排出機構７４と下皿２６との間を連通させるために、遊技機１の前面に可動案内部材４３を突出させる開口部６８が開口しているが、開口部６８を裏面から覆うカバー部材６０を備えるので、開口部６８から異物を差し込んで内部機器に対して不正を働く行為を防止できる。
【０１３５】
また、前面カバー体２０は、下部フレーム３２に開けられた開口部６８の前面に覆い被さるように設けられているので、遊技機１の前方から異物を挿入しにくくする効果を有する。
【０１３６】
なお、今回開示した実施の形態は、全ての点で例示であって制限的なものではない。例えば、今回開示した実施の形態は、パチスロ機を例示したが、本発明はこれに限定されるものではなく、コインを用いる遊技機に広く適用可能である。また、本発明の範囲は前述した発明の説明ではなくて特許請求の範囲によって示され、特許請求の範囲と均等の意味及び内容の範囲での全ての変更が含まれることが意図される。
【図面の簡単な説明】
【０１３７】
【図１】本発明の実施の形態の遊技機の構成を示す斜視図である。
【図２】本発明の実施の形態の遊技機の前面パネルを開いた状態を示す斜視図である。
【図３】本発明の実施の形態のコイン収容箱が載置されていない状態の載置部及び可動案内部材の構成を示す断面図である。
【図４】本発明の実施の形態のコイン収容箱が載置されている状態の載置部及び可動案内部材の構成を示す断面図である。
【符号の説明】
【０１３８】
１  遊技機（パチスロ機）
２  筐体
３  前面パネル
３１  上部フレーム
３２  下部フレーム
４ａ〜４ｃ  リール
６  補助表示装置
２０  前面カバー体
２２  スタートレバー
２３ａ〜２３ｃ  リール停止ボタン
２６  下皿（受皿）
２６１  載置部
２６２  起立壁
２６３  切欠部
２６４  コイン貯留部
２６５ａ、２６５ｂ  段差部
２６６  側壁
２６７  底面部（底板）
４３  可動案内部材
４３１  コイン排出口
４３２  曲折部
４３３  傾斜部
４３４  支点部
４３５  重心部
４３６  コイン流路
４３７  コイン流入口
４６  コイン収容箱
４６a  縁部
４６ｂ  底面
６０  カバー部材
６１  コイン受入口
６３  コイン誘導流路
６４  コイン排出口
６５  コイン誘導斜面
６８  開口部
７１  ホッパー装置（コイン排出装置）
【図１】
0004602937.tif 000002
【図２】
0004602937.tif 000003
【図３】
0004602937.tif 000004
【図４】
0004602937.tif 000005